(57)【特許請求の範囲】
【請求項１】
ガロンボトルを収納するプラスチック段ボール製のコンテナ本体が主体であって、そのコンテナ本体が両側面にＵ字状に反転する長めの主部段ボールとその両側に結合される短めの面壁段ボールとの部材結合からなり、そのうち、主部段ボールは、別途部材の中敷板を受ける底壁を中心にして、その底壁の左右両端に面壁と天部内フラップとが順次連設されて展開形では帯板状で、底壁の左右幅の中央に沿ってダブル折れ線が形成してあり、一方、両方の面壁段ボールは、主部段ボールの側壁との結合で胴部を構成しており、それぞれ上下に天部フラップと底部フラップとが連設され、且つ、幅中央に沿ってダブル折れ線が全長に設けてあり、両方の面壁段ボールと底壁とに有するダブル折れ線で二つ折りする折畳み構造であるコンテナ本体において、該コンテナ本体の底部にその中央部が囲まれるように、その囲みとなる底足板を前記面壁段ボールの底部フラップに貼り付け、上面となる前記面壁段ボールの天部フラップには、その底足板に囲まれる中に全体として嵌まり得る突部板を貼り付けてあって、該底足板と該突部板とが相互の端面接触により箱積みのずれが防止される配置となっていることを特徴とするガロンボトルの収納用コンテナ。
【請求項２】
前記中敷板の両端にその上に載るガロンボトルを持ち上げる持ち手付きの起立片がコンテナ本体の内面に沿うように形成され、この中敷板と両端の該起立片とからなるプラスチック段ボールからなる吊り板がコンテナ本体に具備されていることを特徴とする請求項１記載のガロンボトルの収納用コンテナ。
【発明の詳細な説明】
【技術分野】
【０００１】
この発明は、飲料水、その他の液体を瓶詰したガロンボトルの収納用コンテナに関する。なお、ガロンボトルとは、例えば３〜５ガロンの液体を収容できるプラスチック製又はガラス製等の小口大型のボトルをいうものとする。
【０００２】
ガロンボトルの収納用コンテナは、多量の液体が包装されたガロンボトルの重量に耐えることはもちろん、運搬、保管に適するように特殊な構造が取られる。本出願人においては、これについて鋭意研究を重ねてきており、先にその成果の一部を提案した（特許文献１）。その構造については次の通りである（図８）。
【０００３】
主な素材は重力や水分に耐えやすい材質としてプラスチック段ボールを使用し、これにより組み立てられる一斗缶程度のコンテナ本体５１と、ガロンボトルをコンテナ本体５１の内部に底受けする吊り板５３と、コンテナ本体５１の上に被せる蓋５５との組合せからなるもので、コンテナ本体５１については、通い箱様に菱形方向へ折畳み可能な段ボール箱形であって、底部５２がフラップどうしの持ち合わせにより保持される組構造が取られ、上端については、プラスチック製の口枠５７が嵌着され、これも折畳みに順応する構造となっており、また、箱積み（二点鎖線）の箱がずれないように口枠５７には、四隅に起立片５９が設けられていた。
【０００４】
上記の従来のガロンボトルの収納用コンテナによれば、箱積みについて底部が下位のコンテナ本体５１の上端に四隅に有する起立片５７の囲みに嵌まり固定されるために、底部フラップどうしの組合せ５２がその囲みの中に安定し、また、吊り板５３によりガロンボトルを底受けするために、下敷き作用により底が抜けないようにこれにより支持されることはもちろん、取っ手６１を持ってガロンボトルを持ち上げて取り出すことができる等の利点を有するものであった。
【０００５】
【特許文献１】特開２００８−２７３５９９号公報
【発明の概要】
【発明が解決しようとする課題】
【０００６】
上記のような従来のガロンボトルの収納用コンテナによれば、箱積み状態では底部のずれない安定性は口枠の存在で確保されるが、その存在で菱形に折畳みする構造が複雑となり、また、フラップの組合せによる底部であるために、重量のあるガロンボトルに耐える上で底抜けしない信頼性に未だ欠けるという問題があった。
【０００７】
この発明は、上記のような開発経過を経たもので、コンテナ本体について、通い箱として使用可能に折畳みできることはもちろん、底部が決して底抜けすることのないガロンボトルの収納用コンテナを提供することを課題とした。
【課題を解決するための手段】
【０００８】
上記の課題を解決するために、この発明は、ガロンボトルを収納するプラスチック段ボール製のコンテナ本体が主体であって、そのコンテナ本体が両側面にＵ字状に反転する長めの主部段ボールとその両側に結合される短めの面壁段ボールとの部材結合からなり、そのうち、主部段ボールは、別途部材の中敷板を受ける底壁を中心にして、その底壁の左右両端に面壁と天部内フラップとが順次連設されて展開形では帯板状で、底壁の左右幅の中央に沿ってダブル折れ線が形成してあり、一方、両方の面壁段ボールは、主部段ボールの側壁との結合で胴部を構成しており、それぞれ上下に天部フラップと底部フラップとが連設され、且つ、幅中央に沿ってダブル折れ線が全長に設けてあり、両方の面壁段ボールと底壁とに有するダブル折れ線で二つ折りする折畳み構造であるコンテナ本体において、該コンテナ本体の底部にその中央部が囲まれるように、その囲みとなる底足板を前記面壁段ボールの底部フラップに貼り付け、上面となる前記面壁段ボールの天部フラップには、その底足板に囲まれる中に全体として嵌まり得る突部板を貼り付けてあって、該底足板と該突部板とが相互の端面接触により箱積みのずれが防止される配置となっていることを特徴とするガロンボトルの収納用コンテナを提供する。
【０００９】
ガロンボトルの収納用コンテナを上記のように構成したから、胴部を組み立てると、その下端に前後両面壁段ボールの中間となる底壁が同じ段ボールとして決して底抜けしない状態に存在する。また、底部と天部においてフラップを開放した状態で、ダブル折れ線を中心に底壁と両方の面壁段ボールと上下のフラップとを二つ折りすることにより、両方の側壁を面合わせるようにして全体を偏平に折り畳むことができ、また、その逆操作により組立てがなされる
【００１０】
構造が簡単である上、コンテナ本体において、底部にその中央部が囲まれるように、その囲みとなる底足板を底部フラップに貼り付け、上面となる天部フラップには、その底足板に囲まれる中に全体として嵌まり得る突部板を貼り付けてあって、底足板と突部板とが相互の端面接触により箱積みのずれが防止される配置となっているため、箱積みの安定性が非常に良く、また、中敷板は、組立て状態においてその中に納められて底壁を補強するが、中敷板の両端に起立片が突設されていると（請求項２）、補強が確実となるばかりかガロンボトルの吊り板としてその出し入れが容易ともなる。
【発明の効果】
【００１１】
以上説明したように、この発明のガロンボトルの収納用コンテナによれば、簡単な構造であるとともに折畳みが極めて容易であり、しかも、底が決して抜けなく安定しており、重いガロンボトルを安全且つ確実に運搬、保管することができ、また、底が平たい一体の底壁で封じられ均一となると共に、箱積みの安定性も得られるという優れた効果がある。
【図面の簡単な説明】
【００１２】
【図１】この発明に係るガロンボトルの収納用コンテナを示す一部切欠した斜視図である。
【図２】同ガロンボトルの収納用コンテナの折畳み状態を示す偏平な平面図である。
【図３】同折畳み状態を示す上から見た断面図である。
【図４】同ガロンボトルの収納用コンテナを組み立てた箱形状態で示す正面から見た断面図である。
【図５】同組み立てた箱形使用状態を示す平面図である。
【図６】主部段ボールの展開図である。
【図７】面壁段ボールの展開図である。
【図８】従来例を示す斜視図である。
【発明を実施するための形態】
【００１３】
この発明においては、コンテナ本体１の主部段ボール５が中間に底壁１１を有し、その両端に側壁７，７とフラップ１５，１５が連設される帯長のプラスチック段ボール部材であって、この底壁１１と、別部材の面壁段ボール９，９とにダブル折れ線１９を設けた折畳み構造であるが、ダブル折れ線１９は、並列２線からなるために、硬質素材であっても折りに対する抗力が少なく容易に折り畳むことができる。
【実施例１】
【００１４】
ガロンボトルの収納用コンテナＰは、強度があり耐水性にも優れたプラスチック段ボール製であって、段ボール箱形のコンテナ本体１と、それに出し入れ可能に納まるようＵ字形に屈折されるガロンボトルの吊り板３とからなるものである（図１）。
【００１５】
コンテナ本体１は、左右側壁７，７を一体に有する主部段ボール５と、それを挟む前後面壁が主体の一対からなる面壁段ボール９，９との組合せからなり、主部段ボール５は、前後面壁段ボール９，９の一体化により底壁１１を中心として帯長状の展開部材である（図６）。２５は側壁７，７と面壁段ボール９，９とを組み合わせる連結片である。
【００１６】
箱底については、上記底壁１１を有するが、両面壁段ボール９，９の下端に底壁１１に下から折り伏される底部フラップ１３，１３が連設される。これが言わば外フラップである。また、箱天については、左右両方の側壁７，７に天部フラップ１５，１５を、両面壁段ボール９，９の上端に天部フラップ１７，１７がそれぞれ連設される。
【００１７】
主部段ボール５は、以上述べた如く、底壁１１の左右両端に側壁７，７を連設し、側壁７，７の端に天部フラップ１５，１５が連設される帯板状の展開形であるが、底壁１１の中央に帯長と交差するダブル折れ線１９が形成される。一方、両方の面壁段ボール９，９にはフラップ１３，１７を含む全長にわたって幅中央に沿ってダブル折れ線１９が形成される。
【００１８】
各ダブル折れ線１９は、外側へ二つ折りされる山折りであるので、両側壁７，７を面合わせに近づけることにより偏平に折り畳むことができる（図２，図３）。なお、この作業をするときは、図１に示すように上下フラップは開放状態にして始める。また、折畳み状態から組み立てるには丁度逆の操作で図２に示すフラップ開放の中途箱形に組み立てる。いずれもワンアクションで迅速になし得る。
【００１９】
箱天において、下となる天部フラップ１５，１５には、上面にファスナーテープ２０，２０が止着され、上となる天部フラップ１７，１７にはこれと結合するファスナーテープ２３，２３が止着される。また、箱天の四角平面に、仮想四角形に沿った位置に合わせてプラスチック板からなる小判形の突部板２１，２１が一対ずつ鋲止めされる。
【００２０】
底部フラップ１３，１３には、底壁１１の裏面と底部フラップ１３，１３の上面に相互に結合するファスナーテープ３０，３１が止着される。また、箱底下面がプラスチック板からなる４個の底足板２９，２９，・・に過半の面積が占められる。なお、これについてはダブル折れ線１９のある範囲は避けられている。
【００２１】
つまり、フラップ１３，１３には、閉じたときの下面にそれぞれ隅角に沿ってＬ字形となる底足板２９，２９を止着し、この底補強となる四個の底足板２９，２９，２９，２９の内側に天部の前記した四個の突部板２１，２１，２１，２１が納まるように設定され（図５）、これにより箱積み状態における上下相互のずれが防止されるようになっている。なお、３４は、取っ手である。
【００２２】
吊り板３は、ガロンボトルを受ける中敷板３３の両端にコンテナ本体１の内面に沿って立ち上がる起立片３５，３５を連設したもので、起立片３５，３５の上端部にプラスチックの輪形持ち手３７，３７が嵌着される。
【００２３】
以上の構造から箱底の強度については、両側側壁７，７と一体の底壁１１を有するばかりか、吊り板３の中敷板３３により支持される。加えて、両底部フラップ１３，１３は広い面積を取って補強となる底足板２９，２９付きである構造を有する。
【符号の説明】
【００２４】
Ｐ  ガロンボトルの収納用コンテナ
１  コンテナ本体
３  吊り板
５  主部段ボール
７  側壁
９  面壁段ボール
１１  底壁
１３  底部フラップ
１５  天部フラップ
１７  天部フラップ
１９  ダブル折れ線
２１  突部板
２９  底足板
３３  中敷板
３５  起立片
【図１】
0005643071.tif 000002
【図２】
0005643071.tif 000003
【図３】
0005643071.tif 000004
【図４】
0005643071.tif 000005
【図５】
0005643071.tif 000006
【図６】
0005643071.tif 000007
【図７】
0005643071.tif 000008
【図８】
0005643071.tif 000009